(57)【特許請求の範囲】
【請求項１】
石炭バーナと燃料油バーナとを配設した石炭焚きボイラと、発電機を駆動する蒸気タービンと、前記石炭焚きボイラで発生した蒸気を蒸気タービンに供給する蒸気ラインと、前記蒸気タービンを迂回して蒸気ラインから蒸気をボイラに流すタービンバイパスラインとを有する石炭焚きボイラ設備の運転停止方法であって、
石炭焚きボイラの通常運転時の発電機出力から発電負荷を下げると共に、石炭を専焼する状態で石炭バーナへの給炭量を低減し、燃料油バーナの燃焼への切替や、石炭と燃料油を混合して燃やす混焼を行うことなく、発電負荷を通常運転最低負荷から更に下げ、発電負荷に不要な蒸気をタービンバイパスラインに逃がし、発電負荷の下げに伴って発電機を解列することを特徴とする石炭焚きボイラ設備の運転停止方法。
【請求項２】
石炭バーナの燃料流量下限値に達するまで、発電負荷に不要な蒸気をタービンバイパスラインに逃がし、発電機を解列することを特徴とする請求項１に記載の石炭焚きボイラ設備の運転停止方法。
【請求項３】
発電負荷の下げに伴って発電機を解列した後に、石炭バーナを消火することを特徴とする請求項１又は２に記載の石炭焚きボイラ設備の運転停止方法。
【請求項４】
タービンバイパスラインにタービンバイパス弁を備え、タービンバイパス弁の開度を調整して蒸気をタービンバイパスラインに逃がすことを特徴とする請求項１〜３のいずれかに記載の石炭焚きボイラ設備の運転停止方法。
【請求項５】
石炭バーナと燃料油バーナとを配設した石炭焚きボイラと、発電機を駆動する蒸気タービンと、前記石炭焚きボイラで発生した蒸気を蒸気タービンに供給する蒸気ラインと、前記蒸気タービンを迂回して蒸気ラインから蒸気をボイラに流すタービンバイパスラインと、該タービンバイパスラインからの蒸気の流量を調整するタービンバイパス弁とを有する石炭焚きボイラ設備の運転停止装置であって、
運転停止の際には、石炭焚きボイラの通常運転時の発電機出力から発電負荷を下げると共に、石炭を専焼する状態で石炭バーナへの給炭量を低減し、燃料油バーナの燃焼への切替や、石炭と燃料油を混合して燃やす混焼を行うことなく、発電負荷を通常運転最低負荷から更に下げ、発電負荷に不要な蒸気を、タービンバイパス弁を介してタービンバイパスラインに逃がし、発電負荷の下げに伴って発電機を解列するように構成されたことを特徴とする石炭焚きボイラ設備の運転停止装置。
【発明の詳細な説明】
【技術分野】
【０００１】
本発明は、発電機を解列する石炭焚きボイラ設備の運転停止方法及びその運転停止装置に関するものである。
【背景技術】
【０００２】
一般に石炭焚きボイラ設備は、石炭バーナと燃料油バーナとを配設した石炭焚きボイラと、発電機を駆動する蒸気タービンと、石炭焚きボイラで発生した蒸気を蒸気タービンに供給する蒸気ラインと、不要な蒸気について蒸気タービンを迂回して蒸気ラインから蒸気をボイラ等に流すタービンバイパスラインと、タービンバイパスラインの中途位置に配置されるタービンバイパス弁とを備えている。又、石炭バーナは、石炭ミルから石炭が供給されるようになっていると共に、石炭焚きボイラの燃料油バーナは、軽油等の燃料油の供給元から燃料油が供給されるようになっている。
【０００３】
石炭焚きボイラ設備の運転を開始する際には、燃料油バーナにより炉内を予め加熱して石炭バーナを点火し、その後の種々の操作を介して運転を開始し、そして通常運転時には石炭焚きボイラで蒸気を生じ、蒸気により蒸気タービンを駆動し、発電機で発電を行うようにしている。
【０００４】
一方、石炭焚きボイラ設備の運転を停止する際には、系統への影響をできる限り小さくするために、発電する電気の周波数のズレ等を防止すべく発電負荷を十分に下げて発電機を解列する必要があり、又、石炭バーナの給炭量の燃料流量下限値に伴う発電負荷は、解列時の発電負荷よりも大きすぎることから、燃料油バーナを併用して発電負荷を下げている。
【０００５】
具体的には、図４、図５に示す如く最初に石炭バーナで石炭を専焼する通常運転負荷の段階（図４のステップＳ１０１）から発電負荷の下げを開始する（図４のステップＳ１０２）。ここで図５では通常運転時の発電負荷（発電機出力）及び石炭バーナの給炭量（石炭消費量）を略一定で示し、発電負荷の下げと同時に石炭バーナへの給炭量も減らすようにしている。
【０００６】
続いて石炭バーナへの給炭量を減らすと共に所定の発電負荷の時点で燃料油バーナを点火して石炭と燃料油を混焼し（図４のステップＳ１０３）、発電負荷を通常運転最低負荷の段階へ到達させる（図４のステップＳ１０４）。そして石炭バーナへの給炭量を更に減らして燃料流量下限値まで下げると共に燃料油バーナへの燃料油の流量を増やし、通常運転最低負荷の状態で石炭と燃料油を混焼する（図４のステップＳ１０５）。その後、石炭ミルから石炭バーナへの石炭の供給を停止して石炭バーナを消火し、燃料油バーナにより燃料油を専焼する（図４のステップＳ１０６）。ここで図５では発電負荷（発電機出力）の通常運転最低負荷を一例として略一定の３０％負荷で示すと共に、石炭バーナの給炭量（石炭消費量）の燃料流量下限値を略一定で示している。又、通常運転最低負荷の期間には、石炭バーナの燃料流量下限値の期間を含むと共に、石炭バーナの消火時を含んでいる。更に通常運転最低負荷の期間には燃料油バーナの燃料油消費量が増加し、通常運転最低負荷の期間終了時には燃料油バーナの燃料油消費量が最大となっている。更に図５では石炭バーナの消火後を０ｔ／ｈで示している。
【０００７】
次に発電負荷を通常運転最低負荷の状態から更に下げる（図４のステップＳ１０７）と共に燃料油バーナへの燃料油の流量を減らして燃料流量下限値まで下げ、所定の時間からタービンバイパス弁を開度小として小さく開き、タービンバイパスラインを介して蒸気ラインの圧力を調整する（図４のステップＳ１０８）。そして発電負荷が、発電機を解列し得る負荷に到達した時点（図４のステップＳ１０９）から他の条件の解列の許可を待って発電機を解列する（図４のステップＳ１１０）。その後、蒸気タービンを停止し（図４のステップＳ１１１）、燃料油バーナを消火すると共にタービンバイパス弁を閉じ（図４のステップＳ１１２）、石炭焚きボイラ設備の運転を停止する（図４のステップＳ１１３）。ここで図５では、発電負荷を、発電機を解列し得る負荷になった時点から発電機の解列まで略一定で示すと共に、燃料油バーナの給炭量（石炭消費量）の燃料流量下限値を略一定で示している。又、発電機の解列の前後には、燃料油バーナの給炭量が燃料流量下限値になっており、適宜タービンバイパス弁で圧力を調整している。更に図５では発電負荷で発電機を解列した後を０Ｍｗで示している。
【０００８】
なお、本発明に関連する先行技術文献情報としては、例えば、下記の特許文献１,２等が既に存在している。
【先行技術文献】
【特許文献】
【０００９】
【特許文献１】特開２００６−１２５８０８号公報
【特許文献２】特開昭５８−１８０１８号公報
【発明の概要】
【発明が解決しようとする課題】
【００１０】
しかしながら、このような石炭焚きボイラ設備の運転停止の処理では、運転停止のたびに相当量の燃料油を使用しなければならず、石炭より高価な燃料油の使用によってランニングコストが増加するという問題があった。
【００１１】
本発明は、斯かる実情に鑑み、運転停止のための燃料油の使用量を削減する石炭焚きボイラ設備の運転停止方法及びその運転停止装置を提供しようとするものである。
【課題を解決するための手段】
【００１２】
本発明の石炭焚きボイラ設備の運転停止方法は、石炭バーナと燃料油バーナとを配設した石炭焚きボイラと、発電機を駆動する蒸気タービンと、前記石炭焚きボイラで発生した蒸気を蒸気タービンに供給する蒸気ラインと、前記蒸気タービンを迂回して蒸気ラインから蒸気をボイラに流すタービンバイパスラインとを有する石炭焚きボイラ設備の運転停止方法であって、
石炭焚きボイラの通常運転時の発電機出力から発電負荷を下げると共に、石炭を専焼する状態で石炭バーナへの給炭量を低減し、燃料油バーナの燃焼への切替や、石炭と燃料油を混合して燃やす混焼を行うことなく、発電負荷を通常運転最低負荷から更に下げ、発電負荷に不要な蒸気をタービンバイパスラインに逃がし、発電負荷の下げに伴って発電機を解列するものである。
【００１３】
又、本発明の石炭焚きボイラ設備の運転停止方法においては、石炭バーナの燃料流量下限値に達するまで、発電負荷に不要な蒸気をタービンバイパスラインに逃がし、発電機を解列することが好ましい。
【００１４】
更に、本発明の石炭焚きボイラ設備の運転停止方法においては、発電負荷の下げに伴って発電機を解列した後に、石炭バーナを消火することが好ましい。
【００１５】
更に又、本発明の石炭焚きボイラ設備の運転停止方法においては、タービンバイパスラインにタービンバイパス弁を備え、タービンバイパス弁の開度を調整して蒸気をタービンバイパスラインに逃がすことが好ましい。
【００１６】
本発明の石炭焚きボイラ設備の運転停止装置は、石炭バーナと燃料油バーナとを配設した石炭焚きボイラと、発電機を駆動する蒸気タービンと、前記石炭焚きボイラで発生した蒸気を蒸気タービンに供給する蒸気ラインと、前記蒸気タービンを迂回して蒸気ラインから蒸気をボイラに流すタービンバイパスラインと、該タービンバイパスラインからの蒸気の流量を調整するタービンバイパス弁とを有する石炭焚きボイラ設備の運転停止装置であって、
運転停止の際には、石炭焚きボイラの通常運転時の発電機出力から発電負荷を下げると共に、石炭を専焼する状態で石炭バーナへの給炭量を低減し、燃料油バーナの燃焼への切替や、石炭と燃料油を混合して燃やす混焼を行うことなく、発電負荷を通常運転最低負荷から更に下げ、発電負荷に不要な蒸気を、タービンバイパス弁を介してタービンバイパスラインに逃がし、発電負荷の下げに伴って発電機を解列するように構成されたものである。
【発明の効果】
【００１７】
本発明の石炭焚きボイラ設備の運転停止方法及びその運転停止装置によれば、発電負荷の下げに伴って石炭バーナへの給炭量を減らし、燃料油バーナの燃焼に切り替えることなく、発電負荷に不要な蒸気をタービンバイパスラインに逃がして発電機を解列するので、従来必要であった運転停止のための燃料油の使用量を大幅に削減し、燃料油よりも安価な石炭を用いてランニングコストを低減することができるという優れた効果を奏し得る。
【図面の簡単な説明】
【００１８】
【図１】本発明の石炭焚きボイラ設備を示す全体概要構成図である。
【図２】本発明の石炭焚きボイラ設備の運転停止の処理を示すフローチャートである。
【図３】本発明の発電負荷（発電機出力）、石炭バーナによる石炭消費量、燃料油バーナによる燃料油消費量、タービンバイパス弁開度についての時間的挙動を示す図である。
【図４】従来の石炭焚きボイラ設備の運転停止の処理を示すフローチャートである。
【図５】従来の発電負荷（発電機出力）、石炭バーナによる石炭消費量、燃料油バーナによる燃料油消費量、タービンバイパス弁開度についての時間的挙動を示す図である。
【発明を実施するための形態】
【００１９】
以下、本発明の実施の形態例を図１〜図３を参照して説明する。
【００２０】
実施の形態例である石炭焚きボイラ設備は、石炭バーナ１と燃料油バーナ２とを配設した石炭焚きボイラ３と、発電機４を駆動する蒸気タービン５と、石炭焚きボイラ３で発生した蒸気を蒸気タービン５に供給する蒸気ライン６と、蒸気タービン５からの蒸気を所定箇所に送給する送給ライン７と、蒸気タービン５の上流側で蒸気ライン６から分岐して蒸気をボイラ３等に流すタービンバイパスライン８と、タービンバイパスライン８の中途位置に配置されるタービンバイパス弁９とを備えている。
【００２１】
石炭バーナ１は、石炭ミル１０から石炭供給ライン１１を介して石炭が供給されるようになっていると共に、石炭焚きボイラ３の燃料油バーナ２は、軽油等の燃料油の供給元から燃料油供給ライン１２を介して燃料油が供給されるようになっている。又、石炭焚きボイラ３は、石炭のみを燃やす石炭専焼、燃料油のみを燃やす燃料専焼、石炭と燃料油を混合して燃やす混焼とを必要に応じて行うようになっている。ここでタービンバイパスライン８は、石炭バーナ１の燃料流量下限値で発生する蒸気量に見合う容量を持つ必要がある。
【００２２】
蒸気タービン５は、蒸気ライン６からの蒸気によって駆動するように構成されており、蒸気タービン５を駆動した蒸気は、送給ライン７により石炭焚きボイラ３の節炭器（図示せず）や熱交換器（図示せず）等へ送給され、主給水や低温再熱蒸気として利用されるようになっている。
【００２３】
タービンバイパスライン８は、蒸気タービン５を迂回するように蒸気を蒸気ライン６から送給ライン７へ流し、蒸気の流量はタービンバイパス弁９の開度によって調整されるようになっている。
【００２４】
以下本発明を実施する形態例の作用を説明する。
【００２５】
石炭焚きボイラ設備の運転を開始する際には、従来例と同様に、燃料油バーナ２により炉内を予め加熱して石炭バーナ１を点火し、その後の種々の操作を介して運転を開始し、通常運転時には石炭焚きボイラ３で蒸気を生じ、蒸気により蒸気タービン５を介して発電機４で発電を行う。
【００２６】
一方、石炭焚きボイラ設備の運転を停止する際には、石炭バーナ１の専焼から燃料油バーナ２の燃焼に切り替えることなく、石炭バーナ１の給炭量を低減すると共にタービンバイパスライン８の適用により発電負荷を下げる。
【００２７】
具体的には、図２、図３に示す如く最初に石炭バーナ１で石炭を専焼する通常運転負荷の段階（図２のステップＳ１）から発電負荷の下げを開始する（図２のステップＳ２）。ここで図３では通常運転時の発電負荷（発電機出力）及び石炭バーナ１の給炭量（石炭消費量）を略一定で示し、発電負荷の下げと同時に石炭バーナ１への給炭量も減らすようにしている。又、通常運転時の発電負荷は、図３の如く５０％負荷に限定されるものでなく、必要に高じて変動しても良い。
【００２８】
続いて石炭を専焼する状態で石炭バーナ１への給炭量を減し（図２のステップＳ３）、発電負荷を通常運転最低負荷の段階へ到達させる（図２のステップＳ４）。ここで図３では発電負荷（発電機出力）の通常運転最低負荷を略一定の３０％負荷で示すと共に通常運転最低負荷時の石炭バーナ１の給炭量（石炭消費量）を略一定で示している。又、発電負荷の通常運転最低負荷は、本形態例では３０％負荷であるが、設備に応じて異なっても良い。更に石炭バーナ１の給炭量は、発電機４の解列まで発電負荷の下げに対応して変動することが好ましい。
【００２９】
次に発電負荷を通常運転最低負荷の状態から更に下げる（図２のステップＳ５）と共に、石炭を専焼する状態で石炭バーナ１への給炭量を更に減らして燃料流量下限値まで下げる。そして発電負荷の下げに伴って石炭バーナ１の給炭量に伴う負荷が、必要な発電負荷を上回った際には、タービンバイパス弁９を開き（図２のステップＳ６）、発電負荷に不要な蒸気をタービンバイパスライン８から送給ライン７に逃がす。ここで石炭バーナ１の燃料流量下限値はバーナ容量によって異なり、タービンバイパスライン８は、石炭バーナ１の燃料流量下限値で発生する蒸気量に見合う容量を持つ必要がある。
【００３０】
その後、発電負荷が、発電機４を解列し得る負荷に到達した時点（図２のステップＳ７）から他の条件の解列の許可を待って発電機４を解列する（図２のステップＳ８）。そして蒸気タービン５を停止し（図２のステップＳ９）、次いで石炭ミル１０を停止して石炭バーナ１を消火し、且つタービンバイパス弁９の開度を閉じ（図２のステップＳ１０）、石炭焚きボイラ設備の運転を停止する（図２のステップＳ１１）。
【００３１】
ここで図３では、発電機４を解列し得る負荷になった時点から発電機４の解列までの期間を、略一定で示し、発電機４の解列後を０Ｍｗで示している。又、石炭バーナ１の給炭量（石炭消費量）の燃料流量下限値を、略一定で示し、石炭バーナ１の消火後を０ｔ／ｈで示している。更に発電機４の解列の前後にわたる期間は、石炭バーナ１の給炭量が燃料流量下限値になっている。更に又、発電機４を解列し得る負荷になった時点から発電機４の解列までの期間における発電負荷は、一定値に限定されるものでなく、条件に応じて変動しても良く、石炭バーナ１の燃料流量下限値も、条件に応じて変動しても良い。又、タービンバイパス弁９の開度は、発電機４を解列し得る負荷に到達した時、及び／又は石炭バーナ１の給炭量が燃料流量下限値になった時から開度大となっており、開度大は、従来の開度小よりも１０〜３０％大きく開いている。更にタービンバイパス弁９の開度は、石炭バーナ１が消火する前まで開度大を維持することが好ましい。更にタービンバイパス弁９の開度は、発電負荷の下げ中に石炭バーナ１への給炭量が過小とならないように適宜調整されても良い。更に又、燃料油バーナ２の燃料油供給量（燃料油消費量）は、運転停止の処理において燃料油バーナ２の燃焼への切替や、燃料油バーナ２の専焼を行うことがないことから、図３では、燃料油バーナ２の燃料油供給量を０ｔ／ｈで示している。又、図３の仮想線は従来の燃料油バーナの燃料油供給量（燃料油消費量）を示し、図３の仮想線と実線で囲まれた部分は、燃料油の削減し得る消費量（使用量）を示している。
【００３２】
又、従来の運転停止と、本発明の実施例の運転停止とを実際に比較すると、従来の運転停止の場合には燃料油バーナによる燃料油（軽油）の使用量が約５０〜６０ｔ／回となり、本発明の実施例の運転停止の場合には燃料油バーナによる燃料油（軽油）の使用量が約０ｔ／回となった。この結果、本発明の実施例の停止処理は従来に比べて燃料油の使用量を大幅に低減できることが明らかである。
【００３３】
而して、このように実施の形態例によれば、発電負荷の下げに伴って石炭バーナ１への給炭量を段階的に減らし、燃料油バーナ２の燃焼や専焼に切り替えることなく、発電負荷に不要な蒸気をタービンバイパスライン８に逃がして発電機４を解列するので、従来必要であった運転停止のための燃料油の使用量を大幅に削減し、燃料油よりも安価な石炭を用いてランニングコストを低減することができる。
【００３４】
実施の形態例において、石炭バーナ１の燃料流量下限値の間に、発電負荷に不要な蒸気をタービンバイパスライン８に逃がし、発電機４を解列すると、石炭バーナ１への給炭量を燃料流量下限値まで段階的に減らし、発電負荷に不要な蒸気をタービンバイパスライン８に適切に逃がして発電機４を解列するので、従来必要であった運転停止のための燃料油の使用量を大幅に削減し、燃料油よりも安価な石炭を用いてランニングコストを一層低減することができる。
【００３５】
実施の形態例において、発電負荷の下げに伴って発電機４を解列した後に、石炭バーナ１を消火すると、発電負荷の下げに関係なく石炭バーナ１を消火し得るので、運転停止のための燃料油の使用量を大幅に削減すると同時に、運転停止を容易にしてランニングコストを低減することができる。
【００３６】
実施の形態例において、タービンバイパスライン８にタービンバイパス弁９を備え、タービンバイパス弁９の開度を調整して蒸気をタービンバイパスライン８に逃がすと、運転停止の過程に合わせて蒸気の流量を調整し得るので、運転停止のための燃料油の使用量を極めて大幅に削減し、ランニングコストを一層低減することができる。
【００３７】
又、石炭バーナ１として、給炭量の燃料流量下限値の低いワイドレンジバーナを用いた場合には、発電負荷に不必要な蒸気としてタービンバイパスライン８に逃がす蒸気を低減するので、運転停止のための燃料油の使用量を大幅に削減すると同時に、運転停止を容易にしてランニングコストを低減することができる。
【００３８】
尚、本発明の石炭焚きボイラ設備の運転停止方法及びその運転停止装置は、上述の図示例にのみ限定されるものではなく、本発明の要旨を逸脱しない範囲内において種々変更を加え得ることは勿論である。
【符号の説明】
【００３９】
１  石炭バーナ
２  燃料油バーナ
３  石炭焚きボイラ
４  発電機
５  蒸気タービン
６  蒸気ライン
８  タービンバイパスライン
９  タービンバイパス弁
【図１】
0005552786.tif 000002
【図２】
0005552786.tif 000003
【図３】
0005552786.tif 000004
【図４】
0005552786.tif 000005
【図５】
0005552786.tif 000006